(57)【要約】【課題】脚体が邪魔になることを防止でき、脚体の折畳不使用状態時にスタンド装置全体を横に倒すことなく立てたまま置いておくことができるスタンド装置を提供する。【解決手段】スタンド装置１は基体２を備え、この基体２には上端部に被支持物を取り付ける支持体３を略鉛直状に立設する。基体２には、上方向への回動により略鉛直状の折畳不使用状態になり下方向への回動により略水平状の展開使用状態になる複数の脚体４を上下方向に回動可能に設ける。脚体４の先端部下面には易滑性接触部40を形成する。脚体４の折畳不使用状態時には、スタンド装置１は基体２によって自立する。【選択図】図１
2008082460.tif 000002
【特許請求の範囲】
【請求項１】
基体と、
この基体に略鉛直状に立設され、被支持物が取り付けられる支持体と、
前記基体に上下方向に回動可能に設けられ、上方向への回動により略鉛直状の折畳不使用状態になり、下方向への回動により略水平状の展開使用状態になる複数の脚体とを備え、
前記脚体の折畳不使用状態時に前記基体によって自立する
ことを特徴とするスタンド装置。
【請求項２】
基体は、被載置部に接触する接触部を下面に有し、
脚体は、前記被載置部に接触する易滑性接触部を先端部下面に有し、
前記脚体の展開使用状態時には、前記脚体の易滑性接触部のみが前記被載置部に接触し、
前記脚体の折畳不使用状態時には、前記基体の接触部のみが前記被載置部に接触する
ことを特徴とする請求項１記載のスタンド装置。
【請求項３】
基体は、
一方には頭部用孔が形成され、他方には軸部用孔が形成され、互いに離間対向する対をなす対向板部と、
前記頭部用孔に頭部が固着され、前記軸部用孔に軸部が挿通され、前記対をなす対向板部間に位置するボルト部材と、
このボルト部材の軸部の先端部に螺着されたナット部材とを有し、
脚体は、前記ボルト部材の軸部に基端部が回動可能に取り付けられた略４角筒状の脚部材を有し、
前記脚部材の基端部一側面が前記ボルト部材の頭部底面に摺動可能に当接し、前記脚部材の基端部他側面が前記他方の対向板部に摺動可能に当接している
ことを特徴とする請求項１または２記載のスタンド装置。
【請求項４】
脚体の上方向への回動を規制してこの脚体を展開使用状態にロックするロック操作体を備え、
前記ロック操作体は、前記脚体の基端部にこの脚体の長手方向に沿って移動可能に設けられ、一方向への移動によりロック状態になり、他方向への移動によりロック解除状態になる
ことを特徴とする請求項１ないし３のいずれか一記載のスタンド装置。
【発明の詳細な説明】
【技術分野】
【０００１】
本発明は、例えば照明装置やカメラ等の被支持物を支持するスタンド装置に関するものである。
【背景技術】
【０００２】
従来、例えば照明装置等の被支持物が上端部に取り付けられる支柱と、支柱のブラケットに回動可能に取り付けられ下方向への回動により支柱に沿った折畳不使用状態になり上方向への回動により傾斜状の展開使用状態になる複数の脚体と、脚体を傾斜状の展開使用状態に保持する複数の腕体とを備える撮影照明用スタンド等のスタンド装置が知られている（例えば、特許文献１参照）。
【特許文献１】特開平８−１５９３８２号公報（図１、図２）
【発明の開示】
【発明が解決しようとする課題】
【０００３】
しかしながら、上記従来のスタンド装置では、脚体の展開使用状態時に、脚体が水平方向に対して傾斜した傾斜状に位置するため、脚体が撮影作業等の邪魔になるおそれがある。また、脚体の折畳不使用状態時には、スタンド装置全体を横に倒して置かなければならない。
【０００４】
本発明は、このような点に鑑みなされたもので、脚体の展開使用状態時に脚体が邪魔になることを防止できるとともに、脚体の折畳不使用状態時にスタンド装置全体を横に倒すことなく立てたまま置いておくことができるスタンド装置を提供することを目的とする。
【課題を解決するための手段】
【０００５】
請求項１記載のスタンド装置は、基体と、この基体に略鉛直状に立設され、被支持物が取り付けられる支持体と、前記基体に上下方向に回動可能に設けられ、上方向への回動により略鉛直状の折畳不使用状態になり、下方向への回動により略水平状の展開使用状態になる複数の脚体とを備え、前記脚体の折畳不使用状態時に前記基体によって自立するものである。
【０００６】
請求項２記載のスタンド装置は、請求項１記載のスタンド装置において、基体は、被載置部に接触する接触部を下面に有し、脚体は、前記被載置部に接触する易滑性接触部を先端部下面に有し、前記脚体の展開使用状態時には、前記脚体の易滑性接触部のみが前記被載置部に接触し、前記脚体の折畳不使用状態時には、前記基体の接触部のみが前記被載置部に接触するものである。
【０００７】
請求項３記載のスタンド装置は、請求項１または２記載のスタンド装置において、基体は、一方には頭部用孔が形成され、他方には軸部用孔が形成され、互いに離間対向する対をなす対向板部と、前記頭部用孔に頭部が固着され、前記軸部用孔に軸部が挿通され、前記対をなす対向板部間に位置するボルト部材と、このボルト部材の軸部の先端部に螺着されたナット部材とを有し、脚体は、前記ボルト部材の軸部に基端部が回動可能に取り付けられた略４角筒状の脚部材を有し、前記脚部材の基端部一側面が前記ボルト部材の頭部底面に摺動可能に当接し、前記脚部材の基端部他側面が前記他方の対向板部に摺動可能に当接しているものである。
【０００８】
請求項４記載のスタンド装置は、請求項１ないし３のいずれか一記載のスタンド装置において、脚体の上方向への回動を規制してこの脚体を展開使用状態にロックするロック操作体を備え、前記ロック操作体は、前記脚体の基端部にこの脚体の長手方向に沿って移動可能に設けられ、一方向への移動によりロック状態になり、他方向への移動によりロック解除状態になるものである。
【発明の効果】
【０００９】
本発明によれば、上方向への回動により略鉛直状の折畳不使用状態になり下方向への回動により略水平状の展開使用状態になる複数の脚体を備え、脚体の折畳不使用状態時に基体によって自立するようになっているため、脚体の展開使用状態時に脚体が邪魔になることを防止できるとともに、脚体の折畳不使用状態時にスタンド装置全体を横に倒すことなく立てたまま置いておくことができる。
【発明を実施するための最良の形態】
【００１０】
本発明のスタンド装置の一実施の形態を図面を参照して説明する。
【００１１】
図１ないし図４において、１はスタンド装置で、このスタンド装置１は、例えば照明装置やカメラ等の被支持物（図示せず）を支持するカメラスタンド兼照明スタンド等である。
【００１２】
スタンド装置１は、基台等の基体２と、基体２に略鉛直状に立設され下端部が基体２に固着され被支持物（図示せず）が上端部に脱着可能に取り付けられる長手状の支持体３と、基体２に水平方向の軸線を中心として上下方向に回動可能に設けられ上方向への略９０度回動により略鉛直状の折畳不使用状態（図１に示す状態）になり下方向への略９０度回動により略水平状の展開使用状態（図２に示す状態）になる長手状の複数、例えば３本の脚体４とを備えている。
【００１３】
また、スタンド装置１は、脚体４の基端部に移動可能に設けられロック状態となって脚体４の上方向への回動を規制してこの脚体４を展開使用状態にロックする複数、例えば３つのロック操作体５と、ロック操作体５を付勢してロック状態にする複数、例えば３つの付勢体であるコイル状のばね６とを備えている。
【００１４】
そして、スタンド装置１は、図１に示すように、脚体４の略鉛直状の折畳不使用状態時には、床面等の被載置部８上で基体２によって安定して自立する。また、スタンド装置１は、図２に示すように、脚体４の略水平状の展開使用状態時には、床面等の被載置部８上で３本の脚体４によって安定して自立する。
【００１５】
基体２は、脚体４の折畳不使用状態時に床面等の被載置部８に面状に接触する平面状の接触部10が下面に形成された基部材11を有している。基部材11は、支持体３の下端部が固着された筒状部12と、筒状部12に一体に設けられ互いに離間対向する例えば３対の対向板部13a，13bとを有している。そして、図５に示されるように、一方の対向板部13aには円形状の頭部用孔14が形成され、他方の対向板部13bには頭部用孔14より小さい円形状の軸部用孔15が形成されている。
【００１６】
また、基体２は、基部材11の頭部用孔14に頭部21が嵌入固着され基部材11の軸部用孔15に軸部22が挿通され対をなす対向板部13a，13b間に位置するボルト部材23と、このボルト部材23の軸部22の先端部に螺着されたナット部材24とを有している。
【００１７】
ボルト部材23は、頭部21と軸部22とにて構成され、頭部21の外周面には複数の溝26がボルト部材23の軸方向に沿って形成されている。頭部21の軸方向寸法は一方の対向板部13aの厚さ寸法より大きく、頭部21の軸部22側の端部が一方の対向板部13aの内面（他方の対向板部13bと対向する対向面）より内方に突出している。軸部22の先端側外周面には、ねじ溝27が形成されている。軸部22の軸方向略中央部には、環状凹部分28が形成されている。
【００１８】
さらに、基体２は、対をなす対向板部13a，13b間にボルト部材23と平行に位置し、脚体４との当接により脚体４の下方向への回動を規制して脚体４を略水平状の展開使用状態に位置決めするストッパ用軸部材29を有している。また、対向板部13a，13bには、脚体４の展開使用時にロック操作体５と係合する第１係合凹部31と脚体４の折畳不使用時にロック操作体５と係合する第２係合凹部32とが形成されている。
【００１９】
支持体３は、例えば複数本の円筒状パイプ等からなり、基体２の基部材11の筒状部12から上方に向って突出する長手状で略円筒状のもので、長手方向に伸縮可能となっている。支持体３は、上端部に支持面部34を有し、この支持面部34の中央にはねじ軸部35が設けられ、このねじ軸部35に被支持物のねじ孔部が螺合される。なお、図１および図２に示す支持体３は、最も縮んだ状態であるが、この状態での支持体３の長手方向寸法は脚体４の長手方向寸法より大きい。
【００２０】
脚体４は、脚体４の展開使用状態時に床面等の被載置部８に面状に接触する易滑性接触部40を先端部下面に有している（図３参照）。この易滑性接触部40は、例えばフッ素樹脂製で、床面等の被載置部８との間での摩擦係数が小さく、その被載置部８に対して滑り易くなっている。
【００２１】
脚体４は、基体２のボルト部材23の軸部22に基端部が回動可能に取り付けられた略４角筒状の脚部材41と、この脚部材41の先端部に取り付けられた先端部材42とを有している。
【００２２】
脚部材41の基端部には、ボルト部材23の軸部22に対応した円形状の孔43と脚部材41の長手方向に沿った長手状の長孔44とが形成されている。脚部材41の孔43には基体２のボルト部材23の軸部22が挿通され、脚部材41はボルト部材23に対してその軸部22を中心として回動可能となっている。脚部材41の基端部一側面41aがボルト部材23の頭部21の底面つまり頭部21の軸部22側の端面に摺動可能に当接し、脚部材41の基端部他側面41bが他方の対向板部13bの内面（一方の対向板部13aと対向する対向面）に摺動可能に当接している。脚部材41の基端部一側面41aと一方の対向板部13aの内面との間に空間部45が形成されている（図５参照）。
【００２３】
先端部材42は、略円柱状のもので、この先端部材42の一端面部である下面部には脚体４の展開使用状態時に被載置部８に面状に接触する易滑性接触部40が形成されている。また、先端部材42の他端面部である上面部には脚体４の折畳不使用状態時に支持体３の外周面と面状に接触する例えばゴム製の弾性接触部46が形成されている。弾性接触部46は、支持体３の外周面に対応した円弧面状に形成されている。
【００２４】
ロック操作体５は、脚体４の脚部材41の基端部に脚体４の長手方向に沿って移動可能に設けられ、一方向への移動（基体２側への移動）により脚体４の上方向への回動を規制して脚体４を展開使用状態にロックするロック状態になり、他方向への移動（基体２から離れる方向への移動）により脚体４の上方向への回動を許容して脚体４のロック状態を解除するロック解除状態になる。
【００２５】
ロック操作体５は、互いに離間対向する略楕円板状の一対の操作部51と、両操作部51同士を連結した２本の連結軸部52，53とを有している。操作部51には、ロック操作体５の移動方向と直交する方向に延びる複数の溝54が形成されている。また、操作部51には、脚体４の展開使用時には第１係合凹部31と係合し脚体４の折畳不使用時には第２係合凹部32と係合する係合部55が形成されている。連結軸部52，53は、脚体４の脚部材41の長孔44にこの長孔44に沿ってスライド可能に挿通されている。一方の連結軸部52には、ロック操作体５を付勢してロック状態にするコイル状のばね６の一端部が取り付けられ、このばね６の他端部が基体２のボルト部材23の軸部22の環状凹部分28に取り付けられている。
【００２６】
次に、上記スタンド装置１の作用等を説明する。
【００２７】
スタンド装置１の使用時には、脚体４を把持し、この脚体４を基体２に対してボルト部材23の軸部22を中心として脚体４の基端部がストッパ用軸部材29に当接するまで下方向に略９０度回動させ、略水平状の展開使用状態にする。
【００２８】
この際、ロック操作体５を操作する必要がなく、ロック操作体５の係合部55は、脚体４の回動に伴って基体２の第２係合凹部32内から抜け出し、その後、ばね６の付勢力によって基体２の第１係合凹部31内に入り込んでこの第１係合凹部31と係合し、その結果、ロック操作体５にて脚体４が略水平状の展開使用状態にロックされた状態になる。
【００２９】
こうして、スタンド装置１は、図２に示すように、床面等の被載置部８上において、略水平状の展開使用状態の３本の脚体４によって安定して自立し、支持体３の上端部に照明装置やカメラ等の被支持物が取り付けられる。この図２に示す脚体４の展開使用状態時では、脚体４の易滑性接触部40のみが被載置部８に接触しており、このため、被支持物を支持したスタンド装置１全体を被載置部８上で容易に移動させることが可能である。
【００３０】
また、スタンド装置１の不使用時には、図３に示すように、ロック操作体５をばね６の付勢に抗して脚体４に対して移動させ、ロック操作体５の係合部55を基体２の第１係合凹部31内から出して、ロック操作体５をロック解除状態にする。
【００３１】
続いて、脚体４を把持し、この脚体４を基体２に対してボルト部材23の軸部22を中心として弾性接触部46が支持体３の外周面に当接するまで上方向に略９０度回動させ、支持体３に沿った略鉛直状の折畳不使用状態にする。
【００３２】
このとき、ロック操作体５の係合部55は、ばね６の付勢力によって基体２の第２係合凹部32内に入り込み、この第２係合凹部32と係合する。ロック操作体５の係合部55と第２係合凹部32との係合により脚体４は略鉛直状の折畳不使用状態に保持される。
【００３３】
こうして、スタンド装置１は、図１に示すように、床面等の被載置部８上において基体２のみによって安定して自立し、この立ち姿勢のまま撮影室の隅等の保管場所に保管される。なお、この図１に示す脚体４の折畳不使用状態時では、基体２の接触部10のみが被載置部８に接触している。
【００３４】
そして、スタンド装置１によれば、上方向への回動により略鉛直状の折畳不使用状態になり下方向への回動により略水平状の展開使用状態になる複数の脚体４を備え、脚体４の折畳不使用状態時には床面等の被載置部８上に基体２によって自立するようになっているため、脚体４の展開使用状態時に脚体４が撮影作業等の邪魔になることを防止でき、しかも、脚体４の折畳不使用状態時にスタンド装置１全体を横に倒すことなく立てたまま置いておくことができ、スタンド装置１の保管等が容易となる。
【００３５】
また、脚体４の展開使用状態時には、脚体４の易滑性接触部40のみが被載置部８に接触しているため、被支持物を支持したスタンド装置１全体を被載置部８上で容易に移動でき、撮影作業等を容易に行うことができる。
【００３６】
さらに、ボルト部材23の頭部21が基部材11の頭部用孔14に嵌入固着され、脚部材41の基端部一側面41aがボルト部材23の頭部21の底面に摺動可能に当接し、脚部材41の基端部他側面41bが他方の対向板部13bの内面に摺動可能に当接した構成であるから、対向板部13a，13bがナット部材24の締付けによって内方に撓むことがなく、脚体４はナット部材24の締付けによる影響を受けにくく、脚体４の回動をスムースに行うことができる。
【００３７】
また、簡単な構成のロック操作体５によって脚体４を略水平状の展開使用状態に確実にロックできるとともに、ロック操作体５をばね６の付勢に抗して少し移動させるだけで脚体４のロックを容易に解除できる。
【００３８】
なお、例えば図示しないが、脚体４をこの脚体４の長手方向に伸縮可能な構成としてもよい。
【００３９】
また、脚体４が被載置部８に接触する易滑性接触部40を先端部下面に有する構成には限定されず、脚体４の脚部材41の先端にキャスタを設けた構成等でもよい。
【図面の簡単な説明】
【００４０】
【図１】本発明のスタンド装置の一実施の形態の斜視図である。
【図２】同上スタンド装置の使用時における斜視図である。
【図３】同上スタンド装置の部分側面図である。
【図４】同上スタンド装置の部分分解斜視図である。
【図５】同上スタンド装置の部分断面図である。
【符号の説明】
【００４１】
１    スタンド装置
２    基体
３    支持体
４    脚体
５    ロック操作体
８    被載置部
10    接触部
13a，13b    対向板部
14    頭部用孔
15    軸部用孔
21    頭部
22    軸部
23    ボルト部材
24    ナット部材
40    易滑性接触部
41    脚部材
41a   基端部一側面
41b   基端部他側面
【図１】
2008082460.tif 000003
【図２】
2008082460.tif 000004
【図３】
2008082460.tif 000005
【図４】
2008082460.tif 000006
【図５】
2008082460.tif 000007